(57)【要約】【課題】タイムシフト機能を有するテレビにおいて、タイムシフト録画用の記憶領域が少なくなった場合でも、録画できなくなることを低減する技術を提供する。【解決手段】テレビ１０において、タイムシフト録画中にタイムシフト用記憶部５２の残容量が１０％以下になったときに、タイムシフト外部機器制御部６０は、ＣＥＣ機能により外部レコーダ７０の電源をオンに制御する。さらに、タイムシフト用記憶部５２の残容量がなくなると、タイムシフト外部機器制御部６０は、タイムシフト録画を停止させ、ＣＥＣ機能により外部レコーダ７０側で続きの録画を開始するよう制御する。【選択図】図１
2011205478.tif 000002
【特許請求の範囲】
【請求項１】
タイムシフト機能を有するテレビ受像装置であって、
タイムシフト用の録画処理を行っているときに、コンテンツを前記タイムシフト機能で利用する記憶領域の残容量を確認し、前記残容量が第１の所定値になったときに外部録画機器をオンし、前記残容量が第２の所定値になったときに、前記タイムシフト用の録画処理を前記外部録画機器へ移行させる外部録画機器制御手段
を備えることを特徴とするテレビ受像装置。
【請求項２】
前記外部録画機器制御手段は、前記外部録画機器の録画予約状況を取得し、録画予約がなされている場合に、前記タイムシフト用の録画処理を前記外部録画機器へ移行させないよう制御することを特徴とする請求項１に記載のテレビ受像装置。
【請求項３】
前記外部録画機器制御手段は、前記外部録画機器の記録可能容量を取得し、前記記録可能容量が不足すると判断した場合に、前記タイムシフト用の録画処理を前記外部録画機器へ移行させないよう制御することを特徴とする請求項１に記載のテレビ受像装置。
【請求項４】
前記外部録画機器制御手段は、前記外部録画機器の記録可能容量を取得し、前記記録可能容量に応じて、前記タイムシフト用の録画処理を前記外部録画機器へ移行させたときの録画レートを制御することを特徴とする請求項１に記載のテレビ受像装置。
【発明の詳細な説明】
【技術分野】
【０００１】
本発明は、テレビ受像装置に係り、特に、タイムシフト機能を有するテレビ受像装置に関する。
【背景技術】
【０００２】
テレビ受像装置（以下、単に「テレビ」という）において、視聴中の番組を録画し、時間をシフトして視聴可能とするタイムシフト機能は、テレビの前から席を外したときなどに、見たい場面を見逃さずに視聴できるなど便利な機能である。ここで、タイムシフトとは、テレビを視聴中に、リモコン等でタイムシフトモードに移行させると視聴中の番組（ＬＩＶＥ映像）を映したまま裏でその番組を録画し、再生キーを押すと前回再生が終了した時点から録画映像の再生を開始するというものである。
【０００３】
一般に、タイムシフトモードを終了しない限りはＬＩＶＥ映像の録画が続行される。また、録画映像の再生中に停止キーを押すとＬＩＶＥ映像に戻るように構成されている。このとき、録画データは、テレビに設けられたフラッシュメモリ等に記録される。フラッシュメモリの残容量がなくなると、古いデータから順に上書きされるようになっている。
【０００４】
そして、テレビの記録容量不足を補う技術が幾つか提案されており、例えば、接続された録画再生装置にリング録画及びタイムシフト再生を実行させることによって、記憶容量を確保する技術がある（例えば、特許文献１参照）。
【先行技術文献】
【特許文献】
【０００５】
【特許文献１】特開２００９−２７５３３号公報
【発明の概要】
【発明が解決しようとする課題】
【０００６】
ここでタイムシフトの録画に関しては以下のような課題がある。
（１）録画用のフラッシュメモリの残容量がなくなったときは、録画済みの古いデータから順に上書きされ消えてしまう。
（２）再生中に、録画映像の平均ビットレートが再生映像のレートよりも高い場合や、録画した状態で再生映像を一時停止状態にしていると、メモリ上の録画位置が、再生位置を追い越してしまう。この場合、再生をキープすることを優先すれば録画を停止せざるを得ず、録画をキープすることを優先すれば再生したい映像が録画により上書きされることで正常に再生が行えなくなる。
【０００７】
特許文献１に開示の技術では、外部接続機器の記録領域を利用するため、記憶容量については比較的余裕があるものの、操作性の観点から、外部接続機器の利用は極力抑えたいという要望があった。
【０００８】
本発明の目的は、上記課題に鑑み、タイムシフト機能を有するテレビにおいて、タイムシフト録画用の記憶領域が少なくなった場合でも、テレビの操作性を極力落とすことなく、録画を継続できなくなることを低減する技術を提供することにある。
【課題を解決するための手段】
【０００９】
本発明に係る装置は、タイムシフト機能を有するテレビ受像装置であって、タイムシフト用の録画処理を行っているときに、コンテンツを前記タイムシフト機能で利用する記憶領域の残容量を確認し、前記残容量が第１の所定値になったときに外部録画機器をオンし、前記残容量が第２の所定値になったときに、前記タイムシフト用の録画処理を前記外部録画機器へ移行させる外部録画機器制御手段を備える。
また、前記外部録画機器制御手段は、前記外部録画機器の録画予約状況を取得し、録画予約がなされている場合に、前記タイムシフト用の録画処理を前記外部録画機器へ移行させないよう制御してもよい。
また、前記外部録画機器制御手段は、前記外部録画機器の記録可能容量を取得し、前記記録可能容量が不足すると判断した場合に、前記タイムシフト用の録画処理を前記外部録画機器へ移行させないよう制御してもよい。
また、前記外部録画機器制御手段は、前記外部録画機器の記録可能容量を取得し、前記記録可能容量に応じて、前記タイムシフト用の録画処理を前記外部録画機器へ移行させたときの録画レートを制御してもよい。
【発明の効果】
【００１０】
本発明によれば、タイムシフト機能を有するテレビにおいて、タイムシフト録画用の記憶領域が少なくなった場合でも、テレビの操作性を維持しつつ、録画できなくなることを低減する技術を提供することができる。
【図面の簡単な説明】
【００１１】
【図１】発明の実施形態に係る、テレビの概略構成を示す機能ブロック図である。
【図２】発明の実施形態に係る、外部レコーダを利用したタイムシフト録画の代替処理を示すフローチャートである。
【図３】発明の実施形態に係る、デジタル放送のライブ放送表示状態においてチャンネルコール部を表示させた画面の例を示す図である。
【図４】発明の実施形態に係る、タイムシフト再生が準備完了状態でライブ放送表示状態となっている画面の例を示す図である。
【図５】発明の実施形態に係る、タイムシフト再生が開始された状態の画面の例を示す図である。
【図６】発明の実施形態に係る、メニュー画面表示中にタイムシフト操作パネルを表示させた画面の例を示す図である。
【図７】発明の実施形態に係る、ホームメニュー表示中にタイムシフト再生を行っている状態を示した画面の例を示す図である。
【発明を実施するための形態】
【００１２】
次に、本発明を実施するための形態（以下、単に「実施形態」という。）を、図面を参照して具体的に説明する。
【００１３】
本実施形態では、ＨＤＭＩ（High Definition Multimedia Interface）連携機能を持つレコーダ機器を接続しておき、（１）タイムシフト録画用のフラッシュメモリの残容量がなくなる直前、及び（２）メモリ上で録画位置が再生位置を追い越してしまう直前に、レコーダ機器側で続きを録画できるようにする。このような構成によって、タイムシフトで録画する際に録画した映像が上書きされ消えることを極力防げるようになり、また再生中に録画が途中で止まることも極力防げるようになり、より充実したタイムシフトの録画機能を実現できる。
【００１４】
本実施形態では、ＨＤＭＩ−ＣＥＣ（HDMI-Consumer Electronics Control；以下、単に「ＣＥＣ」）機能を用いる。ＣＥＣ機能は、ＨＤＭＩ規格により提供されているリンク機能であり、このＣＥＣ機能を用いることで、ＨＤＭＩインタフェイスで接続される機器同士が相互に連携することができ、相互連携する機器が市場に投入されている。
【００１５】
ここで、ＨＤＭＩインタフェイスについて簡単に説明する。ＨＤＭＩインタフェイスは、例えばテレビと録画再生装置との間で信号伝送を行う手段の１つであり、ＨＤＭＩ規格に準拠した信号伝送手段である。このＨＤＭＩインタフェイスは、外観上１本にまとめられたＨＤＭＩケーブルによってデジタルの映像信号及び音声信号を同時に伝送でき、劣化のない信号伝送を実現している。なお、ＨＤＭＩインタフェイスにおいて、映像信号及び音声信号を含む信号は、ＴＭＤＳ（Transition Minimized Differential Signaling）信号伝送ラインを通じて高速伝送される。また、ＨＤＭＩ規格は、さらにその中でＣＥＣ規格が規定されており、ＨＤＭＩインタフェイスは、そのＣＥＣ規格に準拠した信号伝送ライン（以下、「ＣＥＣライン」という）を内包した信号伝送手段として構成される。このＣＥＣラインを内包するＨＤＭＩインタフェイスは、ＴＭＤＳラインを通じた映像信号及び音声信号の伝送に加え、ＣＥＣラインを通じてその他の情報（制御情報など）を伝送することが可能である。なお、ＨＤＭＩインタフェイスは、ＴＭＤＳラインを通じた映像信号及び音声信号の伝送は一方向にのみ可能であるがが、ＣＥＣラインを通じた情報伝送は双方向で可能である。以下、ＣＥＣ機能を利用したタイムシフト機能における代替録画処理について詳細に説明する。
【００１６】
まず、本実施形態に係るテレビ１０における基本的なタイムシフト処理について説明する。図３は、デジタル放送のライブ放送表示状態においてチャンネルコール部Ｆ２０を表示させた画面Ｆ１０を示している。チャンネルコール部Ｆ２０は、画面Ｆ１０の右上に表示されており、選局動作直後やユーザの所定の操作後に、例えば４秒等の所定時間表示される。ここでは、チャンネルコール部Ｆ２０は、放送局の名称が表示されている放送局表示部Ｆ２１と、チャンネル番号が表示されるチャンネル番号部Ｆ２２と、表示されている番組の番組情報等が表示される番組情報部Ｆ２３が備わる。番組情報部Ｆ２３の内容は、後述するＴＳ（Transport Stream）に含まれるＳＩ（Service Information）を元に構成される。
【００１７】
図４は、タイムシフト再生が準備完了状態でライブ放送表示状態となっている画面Ｆ１１の例である。タイムシフトモードにおいて、タイムシフト録画状態となるとチャンネルコール部Ｆ２０の放送局表示部Ｆ２１の下側に「TIME SHIFT READY」と表記されるタイムシフト状態アイコンＦ３１が表示される。その隣には、現在の表示状態として「ライブ放送」を表示中である旨を示す「LIVE」と表記されたライブ状態アイコンＦ３２が表示される。また、画面Ｆ１１の左下には、タイムシフトカウンタ部Ｆ４０が表示される。これは、例えばユーザが、「カウンタ表示設定ＯＮ」を選択している場合に表示され、スポット表示時には隠れるようになっている。タイムシフトカウンタ部Ｆ４０は、メモリの使用量（使用率）をバーの長さで示す使用状況表示バーＦ４１と、再生位置を示すつまみ（アイコン）である再生位置表示部Ｆ４２とを備える。なお、タイムシフト状態アイコンＦ３１を含め、各種アイコンの形態は、図示の形態に限る趣旨ではない。例えば、タイムシフト状態アイコンＦ３１を、録画状態を表示するために用いられる「四角の中に赤丸がある形態」としたアイコンとしてもよい。
【００１８】
図５は、図４の状態からタイムシフト再生が開始された状態の画面Ｆ１２の例である。ここでは、図４のライブ状態アイコンＦ３２の代わりにタイムシフト再生アイコン部Ｆ３３が表示される。また、通常は、タイムシフト再生時においては、タイムシフト再生している番組の番組情報の取得は出来ないため、図示のように、再生データから判別可能な情報に関して表示される。ただし、後述するようにタイムシフト録画中に番組情報を別途記録する処理がなされると、図８の番組情報部Ｆ２３と同程度の内容がタイムシフト再生中であっても図９の番組情報部Ｆ２３に表示が可能となる。なお、タイムシフト再生ではあるがタイムシフト録画中でない場合は、タイムシフト状態アイコンＦ３１は表示されない。また、タイムシフト状態アイコンＦ３１は、ユーザの操作内容に応じてアイコン形状が変化する。さらに、再生位置表示部Ｆ４２は、タイムシフト状態アイコンＦ３１と同様に、ユーザの操作内容に応じて表示形状等が変更されてもよい。再生中であればその旨を表す操作ボタンに付されているアイコンが表示され、一時停止中であれば、そのアイコンが表示される。
【００１９】
図６は、メニュー画面表示中にタイムシフト操作パネルＦ７０を表示させた画面Ｆ１３の例である。本図において、タイムシフト操作パネルＦ７０には、放送局表示部Ｆ２１、タイムシフト状態アイコンＦ３１と、タイムシフト再生アイコン部Ｆ３３タイムシフトカウンタ部Ｆ４５と、操作ボタンアイコン群Ｆ５０とが表示されている。なお、タイムシフト操作パネルＦ７０は、Menu表示中なので映像が縮小スケーリングされた右側に表示される。タイムシフトカウンタ部Ｆ４５は、図４や図５のタイムシフトカウンタ部Ｆ４０と同様であるが、ここでは、メモリ限界に達した（バーが右端に到達した）旨を示す「ＦＵＬＬ」が表示されている。また、操作ボタンアイコン群Ｆ５０では、一般的な再生操作ボタンに相当するアイコンと共に、再生位置を所定時間だけ前後にスキップする「１０秒戻し」ボタンや「３０秒送り」ボタンが設けられている。なお、リモコンの所定のボタン（例えば、「Display」キー）が押下されると、画面の左上に上述と同様の構成のチャンネルコール部Ｆ２０が表示されるようにしてもよい。その場合、チャンネルコール部Ｆ２０には、タイムシフト操作パネルＦ７０に表示されているタイムシフト状態アイコンＦ３１やタイムシフト再生アイコン部Ｆ３３等のタイムシフト関連の情報は、重複表示を回避するために表示されない。また、また、画面Ｆ１３の下段の領域Ｆ６１には、ライブ放送の番組情報等が表示されてもよい。
【００２０】
図７は、ホームメニュー（設定画面）表示中に図５と同様のタイムシフト再生を行っている状態を示した画面Ｆ１４の例である。この画面Ｆ１４では、画面右側に各種設定用の設定表示領域Ｆ６０があり、画面左側にチャンネルコール部Ｆ２０とタイムシフトカウンタ部Ｆ４０が表示される。なお、ホームメニュー（設定画面）表示中には、図４と同様にタイムシフト再生が準備完了状態でライブ放送表示状態でも表示可能である。また、画面Ｆ１４の下段の領域Ｆ６１には、タイムシフト再生中であってもライブ放送の番組情報が表示される。ただし、タイムシフト再生中のコンテンツに関する番組情報が利用可能であれば、その番組情報が表示されてもよい。
【００２１】
図１は、本実施形態に係るテレビ１０の概略構成を示す機能ブロック図であり、このテレビ１０は、タイムシフト機能を有すると共に、ＨＤＭＩインタフェイスにより外部レコーダ７０と接続する。テレビ１０と外部レコーダ７０は、上述したＣＥＣ機能によって相互に連携可能になっている。外部レコーダ７０は、ＨＤＭＩインタフェイスを有するＤＶＤレコーダやＢＤレコーダ、ＨＤＤレコーダである。
【００２２】
このテレビ１０は、主制御部２０と、ソース部３０と、セレクタ１４と、コンテンツ出力処理部１６と、出力部１８と、操作取得部２６と、タイムシフト処理部５０とを備えている。
【００２３】
主制御部２０は、テレビ１０の各構成要素を統括的に制御する。この主制御部２０や後述の視聴制限制御部４０等の各構成要素は、例えば、ＣＰＵ（中央演算装置）等のＬＳＩ（大規模集積回路）やメモリで構成され、そのメモリに記憶されたプログラムらが実行されることで、その機能が実現される。操作取得部２６は、リモコン等の操作手段２７によるテレビ１０への操作を受け付けるユーザ・インタフェイスである。
【００２４】
ソース部３０は、コンテンツのソース機能として、チューナ３２と、内蔵レコーダ３４と、外部機器入出力部３６とを備える。チューナ３２は、アンテナに接続されており、例えば地上デジタル放送を受信し及び復調し、ＴＳ（Transport Stream）を出力する。
【００２５】
内蔵レコーダ３４は、例えば、ＢＤ（Blue-ray Disc）ドライブ、ＨＤＤ（Hard disk drive）、ＳＳＤ（Solid State Drive）、フラッシュメモリ等を記録ディバイスとして利用した装置である。この内蔵レコーダ３４は、チューナ３２や外部レコーダ７０から取得したコンテンツを記録したり、また、記録されているコンテンツを再生し、セレクタ１４を介してコンテンツ出力処理部１６に出力する。
【００２６】
外部機器入出力部３６は、ＤＶＤレコーダやＢＤレコーダ等の外部レコーダ７０とＨＤＭＩ接続する入出力インタフェイスである。また、外部機器入出力部３６は、メモリカードやＵＳＢメモリ等の外部メモリ７５と接続する入出力インタフェイスとしても機能する。外部メモリ７５は、タイムシフト機能の一部として機能させることもできる。
【００２７】
外部機器入出力部３６と外部レコーダ７０は、ＨＤＭＩケーブルによって双方向通信可能に接続されている。ここで、ＨＤＭＩインタフェイスは、映像信号及び音声信号（いずれもデジタル信号）を伝送するＴＭＤＳラインと、ＣＥＣ規格に準拠したＣＥＣラインを含んでいる。なお、ＴＭＤＳラインは、複数本の信号ラインにより構成され、ＴＭＤＳライン及びＣＥＣラインは、１本のＨＤＭＩケーブル８０として構成されている。
【００２８】
セレクタ１４は、ソース部３０からユーザの指定等のソースを選択し、そのソースのコンテンツをコンテンツ出力処理部１６に出力する。また、外部レコーダ７０とテレビ１０を接続する場合には、外部機器入出力部３６を対象ソースとして選択する。
【００２９】
コンテンツ出力処理部１６は、チューナ３２から取得したＴＳを復号して画像データと音声データを抽出し、それらを同期させて出力部１８に出力する。また、コンテンツ出力処理部１６は、画像データを出力するときに、必要に応じてデータ放送の内容や、選択されているチャンネル番号、時刻などの表示を番組の画像データに追加したり加工したりする。
【００３０】
また、出力部１８は、画像データを表示する表示部や音声データを出力するスピーカを備える。なお、以降の説明では、コンテンツの出力として映像について例示するが、当然に音声についても同様の処理がなされる。
【００３１】
タイムシフト処理部５０は、フラッシュメモリ等のタイムシフト用記憶部５２を備えており、一般的なタイムシフト処理を実現する機能を有すると共に、本実施形態において特徴的な機能を実現する構成として、タイムシフト外部機器制御部６０を備える。
【００３２】
タイムシフト外部機器制御部６０は、以下に説明する処理を行い、タイムシフト録画量が多くなりタイムシフト用記憶部５２の記憶可能容量が少なくなった場合に、外部レコーダ７０を利用してタイムシフト録画を適正に継続させる。具体的には、タイムシフト用記憶部５２の残容量が一定値以下（例えば、１０％以下）になった時点、あるいはタイムシフト用記憶部５２上の録画位置が再生位置に一定以上近づいた時点をトリガとして、タイムシフト外部機器制御部６０は、ＣＥＣ機能により外部レコーダ７０の電源をオンに制御する。
【００３３】
続いて、タイムシフト用記憶部５２の残容量がなくなる時点、あるいはタイムシフト用記憶部５２上の録画位置が再生位置に重なる時点をトリガとし、タイムシフト外部機器制御部６０は、タイムシフト録画を停止させ、ＣＥＣ機能により外部レコーダ７０側で続きの録画を開始するよう制御する。ただし外部レコーダ７０側の記憶可能容量が少ない場合や、外部レコーダ７０側で録画予約済みの番組の想定される総録画容量がディスク残容量を上回る場合、録画が行われない。また外部レコーダ７０が録画中の場合も、録画は行われない。
【００３４】
図２のフローチャートを参照して、タイムシフト録画中における処理を説明する。ここでは、残容量をトリガとする処理について説明する。タイムシフト録画機能がオンになると、タイムシフト外部機器制御部６０は、タイムシフト用記憶部５２のメモリ残容量、つまり、録画可能容量をチェックする（Ｓ１１）。録画可能容量のチェックは、例えば、１０秒間隔によって行われる。
【００３５】
チェックの結果、残容量が１０％を越えていれば（Ｓ１２のＮ）、外部レコーダ７０をオンする必要はないと判断し、残容量のチェックを継続する（Ｓ１１）。１０％以下である場合（Ｓ１２のＹ）、タイムシフト外部機器制御部６０は、外部レコーダ７０をオンする信号を出力する（Ｓ１３）。つまり、タイムシフト外部機器制御部６０は、ＨＤＭＩインタフェイスのＣＥＣ機能を用いて、外部機器入出力部３６でＨＤＭＩケーブル８０により接続する外部レコーダ７０をオンする。
【００３６】
外部レコーダ７０をオンさせた後、タイムシフト外部機器制御部６０は、さらにタイムシフト用記憶部５２のメモリ残容量、つまり、録画可能容量をチェックするとともに（Ｓ１４）、タイムシフトモードが継続しているか否かをチェックする（Ｓ１５）。タイムシフトモードが終了していれば（Ｓ１５のＮ）、タイムシフト外部機器制御部６０は、ＨＤＭＩインタフェイスのＣＥＣ機能を用いて、外部機器入出力部３６でＨＤＭＩケーブル８０により接続する外部レコーダ７０をオフする（Ｓ１６）。外部レコーダ７０がオフになると、本フローによる処理は終了する。
【００３７】
タイムシフトモードが継続中であれば（Ｓ１５のＹ）、タイムシフト外部機器制御部６０は、タイムシフト用記憶部５２の残容量が０％になったか否かを判断する（Ｓ１７）。ここで、残容量が０％とは、次の残容量チェックタイミング（例えば１０秒後）までのタイムシフト録画が出来ない容量になったことを意味する。そして、残容量が０％でない場合（Ｓ１７のＮ）、Ｓ１４の処理に戻る。残容量が０％となった場合（Ｓ１７のＹ）、タイムシフト外部機器制御部６０は、外部レコーダ７０に対して録画可能か否かを確認する（Ｓ１８）。ここでは、タイムシフト外部機器制御部６０は、ＣＥＣ機能を用いて、外部レコーダ７０からそのステータス情報を取得し、その情報を基に判断がなされる。つまり、外部レコーダ７０において録画予約がなされているか否かや、外部レコーダ７０の記録可能容量が所定以上残っているか否か等の判断に基づき、タイムシフト外部機器制御部６０は、録画の可否を決定する。録画予約の基づく可否の判断時には、その録画予約に必要と想定される容量を考慮して、タイムシフト用の録画代替が可能か否かが判断されてもよい。
【００３８】
外部レコーダ７０で録画が可能なら（Ｓ１８のＹ）、タイムシフト外部機器制御部６０は、ＣＥＣ機能によって外部レコーダ７０に対して、テレビ１０のタイムシフト録画の続き録画開始する指示を出力する（Ｓ１９）。一方で、外部レコーダ７０で録画が不可能なら（Ｓ１８のＮ）、タイムシフト外部機器制御部６０は、外部レコーダ７０におけるタイムシフト用の録画代替処理を行わず、タイムシフト処理部５０は、タイムシフト用記憶部５２への上書き録画を行うか、または、タイムシフト録画の停止を行う（Ｓ２０）。以上の処理によって、外部レコーダ７０へのタイムシフト録画の代替処理がなされる。
【００３９】
以上、本実施形態によると、タイムシフト録画中に、テレビ１０のタイムシフト用記憶部５２において、タイムシフト録画用の残容量が少なくなった場合や無くなった場合に、ＨＤＭインタフェイスで接続される外部レコーダ７０にタイムシフト録画を代替させることができる。これによって、タイムシフトで録画する際に録画した映像が上書きされ消えることを極力防げるようになり、また再生中に録画が途中で止まることも極力防げるようになり、より充実したタイムシフトの録画機能を実現できる。
【００４０】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【００４１】
例えば、図２のフローチャートにおいて、外部レコーダ７０で録画が可能であるか否かの判断を行うときに（Ｓ１８）、その判断基準が残容量である場合に、残容量に応じて、録画のビットレート（画質等）を変更するようにしてもよい。このときに、変更したビットレートがタイムシフトカウンタ部Ｆ４０において表示されてもよい。さらに、残容量を示す使用状況表示バーＦ４１の色が残容量に応じて変更されてもよい。例えば、残容量が、５００ＭＢ以上の時は、使用状況表示バーＦ４１の色が緑とされ、残容量が５００ＭＢ未満になったときは黄色に、残容量が２００ＭＢ以下になったときは赤色とされる。
【００４２】
さらに、タイムシフト録画中に、録画中の番組の残り時間、録画映像の平均ビットレート、バッファ（タイムシフト用記憶部５２等）の残容量から録画中の番組を最後まで取りきれないと判断した場合は、タイムシフト処理部５０は、自動的に録画のビットレートを残容量に合わせて落として、番組を最後まで取りきるようにしてもよい。
【００４３】
また、外部レコーダ７０での代替録が出来ずテレビ１０でタイムシフト録画を継続する場合（Ｓ２０）、録画時間を優先して、上書き処理において、録画のレート（画質等）を低くするように制御がなされてもよい。さらに、外部レコーダ７０に録画予約がある場合に、タイムシフト外部機器制御部６０は、その録画予約内容を取得し、その予約時刻にあわせて、タイムシフト用に録画されたデータを消去するように外部レコーダ７０を制御してもよい。これは、外部レコーダ７０に代替録画されたデータについては消去されることを許容して、録画予約を優先する設定とすることを可能にするものである。
【００４４】
また、外部レコーダ７０をＨＤＭＩケーブル８０により接続しておき、タイムシフト処理部５０は、タイムシフト録画した映像のうちユーザが選択した期間の映像を、外部レコーダ７０にいわゆる「Ｍｏｖｅ」処理や「Ｃｏｐｙ」処理してもよい。さらに、タイムシフト処理部５０は、タイムシフト録画でタイムシフト用記憶部５２に録画したデータを、タイムシフト動作中でないときに、そのデータを圧縮し、録画可能時間を伸ばすように動作してもよい。
【００４５】
また、タイムシフトカウンタ部Ｆ４０の使用状況表示バーＦ４１が、タイムシフト用記憶部５２用と外部レコーダ７０用の２段で表示されてもよい。
【符号の説明】
【００４６】
１０  テレビ
１４  セレクタ
１６  コンテンツ出力処理部
１８  出力部
２０  主制御部
２６  操作取得部
２７  操作手段
３０  ソース部
３２  チューナ
３６  外部機器入出力部
５０  タイムシフト処理部
５２  タイムシフト用記憶部
６０  タイムシフト外部機器制御部
７０  外部レコーダ
８０  ＨＤＭＩケーブル
【図１】
2011205478.tif 000003
【図２】
2011205478.tif 000004
【図３】
2011205478.tif 000005
【図４】
2011205478.tif 000006
【図５】
2011205478.tif 000007
【図６】
2011205478.tif 000008
【図７】
2011205478.tif 000009